(57)【要約】【課題】設置面積を床面積に算入する必要がないメーターボックスを提供する。【解決手段】メーターボックス１の内部には、ガスメーター、水道メーター、および電力量計のうちの少なくとも１つが配置される。このメーターボックス１は、前面板２と、右側板４および左側板５を備えている。建物の床面１６からの、メーターボックス１の下端の高さは２００ｍｍ以上である。【選択図】図１
2017040158.tif 000002
【特許請求の範囲】
【請求項１】
ガスメーター、水道メーター、および電力量計のうちの少なくとも１つが内部に配置されるメーターボックスであって、
前記メーターボックスは、前面板と、右側板および左側板を備えており、
建物の床面からの、前記メーターボックスの下端の高さは２００ｍｍ以上であることを特徴とするメーターボックス。
【請求項２】
前記メーターボックスが取り付けられる建物の壁面から前記前面板の表面までの距離は、２２０ｍｍ以下であることを特徴とする請求項１に記載のメーターボックス。
【請求項３】
前記前面板は、開閉可能な扉を有することを特徴とする請求項１または２に記載のメーターボックス。
【請求項４】
天板または底板をさらに備えたことを特徴とする請求項１乃至３のいずれか一項に記載のメーターボックス。
【発明の詳細な説明】
【技術分野】
【０００１】
本発明は、集合住宅に設置されるガスメーター、水道メーターなどの計器類を収納するためのメーターボックスに関する。
【背景技術】
【０００２】
マンションやアパートなどの集合住宅には、ガスメーター、水道メーターなどの計器類を収納するためのメーターボックスが設置される。このメーターボックスは、床面から立ち上がる扉を有しており、この扉を開けることで、メーターボックスの内側に設置されているガスメーター、水道メーターなどの計器類に検針員がアクセスできる。
【０００３】
このメーターボックスは、閉じられた空間を内部に形成する箱状の構造体であり、開閉可能な扉、この扉を支える側板などから構成される。ガスメーター、水道メーターなどの計器類は、メーターボックス内の閉じられた空間内に設置される。
【発明の概要】
【発明が解決しようとする課題】
【０００４】
メーターボックスの一住戸当たりの床面積は、概ね０．５ｍ２程度である。しかしながら、大型の集合住宅（例えば、１００戸以上の集合住宅）では、全てのメーターボックスの総床面積は非常に大きくなり、住戸に使用できない無駄な面積として計上されている。
【０００５】
そこで、本発明は、設置面積を床面積に算入する必要がないメーターボックスを提供することを目的とする。
【課題を解決するための手段】
【０００６】
上述した目的を達成するために、本発明の一態様は、ガスメーター、水道メーター、および電力量計のうちの少なくとも１つが内部に配置されるメーターボックスであって、前記メーターボックスは、前面板と、右側板および左側板を備えており、建物の床面からの、前記メーターボックスの下端の高さは２００ｍｍ以上であることを特徴とする。
【０００７】
本発明の好ましい態様は、前記メーターボックスが取り付けられる建物の壁面から前記前面板の表面までの距離は、２２０ｍｍ以下であることを特徴とする。
本発明の好ましい態様は、前記前面板は、開閉可能な扉を有することを特徴とする。
本発明の好ましい態様は、天板または底板をさらに備えたことを特徴とする。
【発明の効果】
【０００８】
本発明によれば、メーターボックスの下端の高さは２００ｍｍ以上である。このような位置に設置されたメーターボックスの面積は、建物の総床面積に算入する必要がなく、メーターボックスの床面積を０ｍ２と計上することができる。したがって、住戸に提供できる総床面積を増やすことが可能となる。特に、大型の集合住宅や地価の高い地域では、本発明の効果が顕著である。
【図面の簡単な説明】
【０００９】
【図１】本発明に係るメーターボックスの一実施形態を示す正面図である。
【図２】図１に示すメーターボックスの上面図である。
【図３】図１に示すメーターボックスの右側面図である。
【図４】図１に示すメーターボックスの左側面図である。
【図５】メーターボックスの内部を示す図である。
【図６】建物の柱の隣に設置されたメーターボックスの実施形態を示す正面図である。
【図７】図６に示すメーターボックスの上面図である。
【図８】ガスメーターのみが内部に配置されたメーターボックスの実施形態を示す図である。
【図９】水道メーターのみが内部に配置されたメーターボックスの実施形態を示す図である。
【図１０】電力量計のみが内部に配置されたメーターボックスの実施形態を示す図である。
【図１１】ガスメーターおよび水道メーターが内部に配置された第１メーターボックスと、電力量計が内部に配置された第２メーターボックスとが上下に配列された図である。
【図１２】図１１に示す第１メーターボックスと第２メーターボックスとの間に隙間がない実施形態を示す図である。
【発明を実施するための形態】
【００１０】
以下、本発明の実施形態について図面を参照して説明する。
図１は、本発明に係るメーターボックスの一実施形態を示す正面図であり、図２は、図１に示すメーターボックスの上面図であり、図３は、図１に示すメーターボックスの右側面図であり、図４は、図１に示すメーターボックスの左側面図である。メーターボックス１は、ガスメーター、水道メーター、および電力量計などの計器類を収納するための囲いである。
【００１１】
メーターボックス１は、マンションやアパートなどの集合住宅に設置され、建物の壁面１１に取り付けられている。本実施形態のメーターボックス１は、前面板２と、この前面板２を保持する右側板４および左側板５と、天板６と、底板７を備えている。右側板４および左側板５は壁面１１に固定されており、前面板２は、右側板４および左側板５に保持されている。天板６は、前面板２、右側板４、および左側板５の上端に接続されており、底板７は、前面板２、右側板４、および左側板５の下端に接続されている。天板６および底板７は、省略することもできるが、メーターボックス１の強度を確保するためには、天板６および底板７を設けることが望ましい。本実施形態では、背面板は設けられていないが、背面板を設けてもよい。
【００１２】
メーターボックス１を構成する前面板２、右側板４、左側板５、天板６、および底板７は、ステンレス鋼などの金属製である。前面板２は、開閉可能な扉２Ａと、この扉２Ａの縁部を支持するための矩形状の枠２Ｂとを有している。扉２Ａには、鍵付きのハンドル３が設けられている。ハンドル３の鍵は省略してもよい。本実施形態の扉２Ａは、両開きタイプであるが、片開きタイプでもよい。
【００１３】
建物の床面１６からの、メーターボックス１の下端の高さは、２００ｍｍ以上である。さらに、メーターボックス１が取り付けられる建物の壁面１１からメーターボックス１の前面板２の表面までの距離（すなわち、出幅または奥行き）は、２２０ｍｍ以下である。本実施形態では、メーターボックス１の下端である、前面板２、右側板４、および左側板５の下端の床面１６からの高さは２００ｍｍであり、建物の壁面１１からメーターボックス１の前面板２の表面までの距離（すなわち、出幅または奥行き）は、２２０ｍｍである。一実施形態では、建物の壁面１１からメーターボックス１の前面板２の表面までの距離（すなわち、出幅または奥行き）は、２２０ｍｍよりも大きくてもよい。
【００１４】
本発明によれば、建物の床面１６からの、メーターボックス１の下端の高さは、２００ｍｍ以上である。このような位置に設置されたメーターボックス１は、その床面積を０ｍ２と計上することができる。したがって、住戸に提供できる総床面積を増やすことが可能となる。特に、大型の集合住宅や地価の高い地域では、本発明の効果が顕著である。
【００１５】
図５は、メーターボックス１の内部を示す図である。図５に示すように、メーターボックス１の内部には、ガスメーター２１および水道メーター２２が設置されている。これらガスメーター２１および水道メーター２２が連結されるガス管２５および水道管２６は、メーターボックス１の内部を通って鉛直方向に延びている。検針員は、扉２Ａを開いて、メーターボックス１内に配置されたガスメーター２１および水道メーター２２にアクセスすることができる。
【００１６】
図６は、建物の柱１７の隣に設置されたメーターボックス１の実施形態を示す正面図であり、図７は、図６に示すメーターボックス１の上面図である。この実施形態では、メーターボックス１の左隣りに建物の柱１７が存在しており、メーターボックス１はこの柱１７から離れて設置されている。メーターボックス１の構成は、図１乃至図５に示す実施形態と同じであるので、その重複する説明を省略する。
【００１７】
メーターボックス１の右隣りに建物の柱が存在する場合も、同様に、メーターボックス１はこの柱から離れて設置される。
【００１８】
メーターボックス１内に設置される計器類は、ガスメーター、水道メーター、および電力量計のうちの少なくとも１つ以上である。図８は、ガスメーター２１のみが内部に配置されたメーターボックス１の実施形態を示す図であり、図９は、水道メーター２２のみが内部に配置されたメーターボックス１の実施形態を示す図である。
【００１９】
図１０は、電力量計２７のみが内部に配置されたメーターボックス１の実施形態を示す図である。各電力量計２７は、幹線ケーブル２８および配電ケーブル２９に接続されている。電力量計２７に加えて、テレビ増幅器、テレビ分配器、電話端子台などの弱電機器をメーターボックス１内に収納してもよい。この場合は、メーターボックス１の幅は、８００ｍｍ以上であることが望ましい。
【００２０】
図１１は、ガスメーター２１および水道メーター２２が内部に配置された第１メーターボックス１Ａと、電力量計２７が内部に配置された第２メーターボックス１Ｂとが配列された図である。第２メーターボックス１Ｂは、第１メーターボックス１Ａの上方に配置されている。このように、２つのメーターボックス１Ａ，１Ｂを縦に並べることも可能である。第２メーターボックス１Ｂ内には、電力量計２７に加えて、テレビ増幅器、テレビ分配器、電話端子台などの弱電機器を収納してもよい。この場合は、第２メーターボックス１Ｂの幅は、８００ｍｍ以上であることが望ましい。
【００２１】
図１２は、図１１に示す第１メーターボックス１Ａと第２メーターボックス１Ｂとの間に隙間がない実施形態を示す図である。この実施形態では、第１メーターボックス１Ａの上端と第２メーターボックス１Ｂの下端は互いに接触しており、第１メーターボックス１Ａと第２メーターボックス１Ｂとの間には空気の流れはない。第１メーターボックス１Ａの天板と、第２メーターボックス１Ｂの底板には、配管または配線（例えば、ガス管２５、水道管２６、幹線ケーブル２８）を通すための貫通孔（図示せず）が形成されている。各貫通孔と、上記配管または配線との間の隙間は、予め規定された耐火処理材（図示せず）で塞がれている。本実施形態においては、電力量計２７が内部に配置された第２メーターボックス１Ｂの内部には、開閉器を設置しないことが必要とされる。
【００２２】
以上のようにいくつかの実施形態を示したが、どの実施形態においても、床面１６からメーターボックス１の下端までの距離、すなわちメーターボックス１の下端の高さは、２００ｍｍ以上である。このような位置に設置されたメーターボックスの設置面積は床面積に算入する必要がないので、住戸に提供できる総床面積を増やすことが可能となる。さらに、好ましくは、メーターボックス１が取り付けられる建物の壁面１１からメーターボックス１の前面板２の表面までの距離（すなわち、出幅または奥行き）は、２２０ｍｍ以下である。
【００２３】
以上、本発明の実施形態について説明したが、本発明は上述した実施形態に限定されることはなく、特許請求の範囲に記載された技術的範囲内において、他の実施形態も当然になしうる。
【符号の説明】
【００２４】
１      メーターボックス
２      前面板
２Ａ    扉
２Ｂ    枠
３      ハンドル
４      右側板
５      左側板
６      天板
７      底板
１１      壁面
１５      幕板
１７      柱
２１      ガスメーター
２２      水道メーター
２５      ガス管
２６      水道管
２７      電力量計
２８      幹線ケーブル
２９      配電ケーブル
【図１】
2017040158.tif 000003
【図２】
2017040158.tif 000004
【図３】
2017040158.tif 000005
【図４】
2017040158.tif 000006
【図５】
2017040158.tif 000007
【図６】
2017040158.tif 000008
【図７】
2017040158.tif 000009
【図８】
2017040158.tif 000010
【図９】
2017040158.tif 000011
【図１０】
2017040158.tif 000012
【図１１】
2017040158.tif 000013
【図１２】
2017040158.tif 000014